(57)【特許請求の範囲】
【請求項１】
複数個の扉体（１１）が複数個のヒンジ手段（１５）によりジグザグ状に折り畳み自在に連結された扉本体（１０）と、該扉本体（１０）を前記各ヒンジ手段（１５）を介して開閉方向に案内する上ガイドレール（６）及び下ガイドレール（７）とを備え、前記各ガイドレール（６）（７）の吊り元側の内外方向の一側に、偶数番目の前記ヒンジ手段（１５）が該各ガイドレール（６）（７）に係脱する切り欠き部（２８）（２９）を設け、前記扉本体（１０）を折り畳む際に前記偶数番目のヒンジ手段（１５）を前記切り欠き部（２８）（２９）で前記各ガイドレール（６）（７）から離脱させて前記各扉体（１１）を吊り元側から折り畳み、前記扉本体（１０）を伸長させる際に前記各扉体（１１）を戸当たり側から伸展させて前記偶数番目のヒンジ手段（１５）を前記切り欠き部（２８）（２９）で前記各ガイドレール（６）（７）に係合させるようにした折り畳み扉において、前記偶数番目のヒンジ手段（１５）のヒンジ中心を、奇数番目の前記ヒンジ手段（１５）のヒンジ中心よりも内外方向の前記切り欠き部（２８）（２９）側に偏心して配置し、一方の前記ガイドレール（７）の前記切り欠き部（２９）の戸当たり側に、該切り欠き部（２９）で屈伸する前記扉体（１１）の上下方向の一端側を前記一方のガイドレール（７）側に案内する案内ローラ（３７）を設け、他方の前記ガイドレール（６）の前記案内ローラ（３７）よりも戸当たり側に、該案内ローラ（３７）により伸展方向に案内される前記扉体（１１）に連結された前記ヒンジ手段（１５）の上下方向の他端側を前記他方のガイドレール（６）側に蹴り込む蹴り込み部材（３８）を設けたことを特徴とする折り畳み扉。
【請求項２】
扉本体（１０）の吊り元側端枠（１３）を固定したことを特徴とする請求項１に記載の折り畳み扉。
【発明の詳細な説明】
【０００１】
【発明の属する技術分野】
本発明は、建物の窓、出入り口、間仕切り、その他に使用する折り畳み扉に関するものである。
【０００２】
【従来の技術】
折り畳み扉には、従来、特公昭５８−３６１５７号公報に記載のものがある。この折り畳み扉は、複数個の扉体がヒンジ手段により折り畳み自在に連結された扉本体と、この扉本体を各ヒンジ手段を介して開閉方向に案内する上ガイドレール及び下ガイドレールとを備え、扉本体を折り畳む際に偶数番目のヒンジ手段を各ガイドレールから離脱させて各扉体を吊り元側から折り畳み、扉本体を伸長させる際に各扉体を戸当たり側から伸展させて、偶数番目のヒンジ手段を各ガイドレールに係合させるようになっている。
【０００３】
この折り畳み扉では、従来、扉本体の各ヒンジ手段のヒンジ中心を扉本体の中心線上に配置すると共に、偶数番目のヒンジ手段に、各ガイドレールに係脱自在に案内され且つ上ガイドレール側に付勢された係合杆を上下動自在に設け、上ガイドレールの吊り元側に切り欠き部、傾斜部、蹴り出し部、蹴り込み部等を設けている。
【０００４】
そして、扉本体を折り畳む際には、ヒンジ手段の係合杆を上ガイドレール側の傾斜部により上昇させて下ガイドレールから外した後に、その係合杆を蹴り出し部により切り欠き部を経て上ガイドレール外へと蹴り出し、また扉本体を伸長させる際には、蹴り込み部により上昇状態の係合杆を切り欠き部を経て上ガイドレール内へと蹴り込み、その後に傾斜部により係合杆を下降させて下ガイドレールに係合させる。
【０００５】
【発明が解決しようとする課題】
従来の折り畳み扉では、各ヒンジ手段のヒンジ中心を扉本体の中心線上に配置し、偶数番目のヒンジ手段の係合杆を上ガイドレール側の傾斜部、蹴り出し部、蹴り込み部等により操作して、扉本体を折り畳み又は伸長させるようにしているため、係合杆、傾斜部、蹴り出し部、蹴り込み部等が必要になり、構造的に複雑であると共に、次のような問題がある。
【０００６】
即ち、従来は傾斜部、蹴り出し部、蹴り込み部で係合杆を操作するため、これらにより係合杆を作動させるには、各偶数番目のヒンジ手段と、その係合杆とをガイドレールに沿って移動させる必要がある。従って、扉本体の吊り元側端枠を吊り元枠に対して移動可能に設けなければならず、吊り元枠と扉本体の吊り元側端枠とを連結できないという問題がある。
【０００７】
また吊り元枠に対して扉本体の吊り元側端枠を移動可能にする場合には、吊り元側にその移動距離分を確保する必要があり、その部分の施錠対策、密閉性の確保その他諸々の問題が生じて、吊り元側の構造が更に複雑になるという欠点もある。
【０００８】
本発明は、このような従来の問題点に鑑み、扉本体の吊り元端側を移動させることなく扉本体を容易且つ確実に開閉でき、しかも構造を簡素化できる折り畳み扉を提供することを目的とする。
【０００９】
【課題を解決するための手段】
本発明は、複数個の扉体１１が複数個のヒンジ手段１５によりジグザグ状に折り畳み自在に連結された扉本体１０と、該扉本体１０を前記各ヒンジ手段１５を介して開閉方向に案内する上ガイドレール６及び下ガイドレール７とを備え、前記各ガイドレール６，７の吊り元側の内外方向の一側に、偶数番目の前記ヒンジ手段１５が該各ガイドレール６，７に係脱する切り欠き部２８，２９を設け、前記扉本体１０を折り畳む際に前記偶数番目のヒンジ手段１５を前記切り欠き部２８，２９で前記各ガイドレール６，７から離脱させて前記各扉体１１を吊り元側から折り畳み、前記扉本体１０を伸長させる際に前記各扉体１１を戸当たり側から伸展させて前記偶数番目のヒンジ手段１５を前記切り欠き部２８，２９で前記各ガイドレール６，７に係合させるようにした折り畳み扉において、前記偶数番目のヒンジ手段１５のヒンジ中心を、奇数番目の前記ヒンジ手段１５のヒンジ中心よりも内外方向の前記切り欠き部２８，２９側に偏心して配置し、一方の前記ガイドレール７の前記切り欠き部２９の戸当たり側に、該切り欠き部２９で屈伸する前記扉体１１の上下方向の一端側を前記一方のガイドレール７側に案内する案内ローラ３７を設け、他方の前記ガイドレール６の前記案内ローラ３７よりも戸当たり側に、該案内ローラ３７により伸展方向に案内される前記扉体１１に連結された前記ヒンジ手段１５の上下方向の他端側を前記他方のガイドレール６側に蹴り込む蹴り込み部材３８を設けたものである。
【００１０】
【発明の実施の形態】
以下に、本発明の各実施形態を図面に基づいて詳述する。
【００１１】
図１〜図１３は本発明をサンルーム等の建物の窓に採用した第１の実施形態を例示する。この建物は、図１に示すように高床式のデッキ１と、このデッキ１上に立設された左右一対の支柱２と、一対の支柱２上に横方向に架設された梁３と、この梁３上に設けられた屋根４とを備え、その正面、側面等の所要箇所の窓等に、それを開閉する折り畳み扉５が設けられている。
【００１２】
折り畳み扉５は、梁３側の下側に設けられた上ガイドレール６と、デッキ１の上側に設けられた下ガイドレール７と、上下のガイドレール６，７間で支柱２の相対向する側に設けられた吊り元枠８及び戸当たり枠９と、吊り元枠８及び戸当たり枠９間で上下のガイドレール６，７に沿って開閉自在に設けられた扉本体１０とを備えている。
【００１３】
扉本体１０は図２及び図３に示すように、両端側に配置された吊り元側端枠１３及び戸当たり側端枠１４と、これらの吊り元側端枠１３及び戸当たり側端枠１４間に配置された例えば６枚（偶数のＮ枚）の扉体１１と、この各扉体１１、吊り元側端枠１３及び戸当たり側端枠１４をその各扉体１１がジグザグ状となるように折り畳み自在に連結する７個（Ｎ個＋１個の奇数）のヒンジ手段１５とを備え、吊り元側端枠１３がネジ等の固定手段１６により吊り元枠８に固定され、戸当たり側端枠１４が伸長状態のときに戸当たり枠９に嵌合又は当接するようになっている。
【００１４】
上ガイドレール６と下ガイドレール７は、図４（Ａ）（Ｂ）に示すように上下に相対向して左右方向（開閉方向）に略平行に配置されている。上ガイドレール６はレール部材１７と、このレール部材１７の内外両側に配置されたレールカバー１８，１９とにより構成され、梁３の下面にネジ等で装着されている。
【００１５】
レール部材１７は走行手段２０を介して扉本体１０を左右方向に開閉自在に吊持し案内するためのもので、内外方向の両側に所定の間隔をおいて配置された一対の転動部２１を下側に備え、この転動部２１上を走行手段２０が左右方向に走行するようになっている。走行手段２０は、中間の吊り元側端のヒンジ手段１５を除く奇数番目のヒンジ手段１５の上端に設けられている。
【００１６】
レールカバー１８，１９は、レール部材１７を内外両側から覆うと共に、扉本体１０の上端部を左右方向に案内するようにレール部材１７から下側に突出している。各レールカバー１８，１９は上下方向の中間に係合溝１８ａ，１９ａが形成され、この係合溝１８ａ，１９ａにレール部材１７の下端縁が係合している。上ガイドレール６には、内外のレールカバー１８，１９間に案内溝２２が形成されている。なお、レール部材１７とレールカバー１８，１９は一体に構成しても良い。
【００１７】
下ガイドレール７は内外両側に一体に形成された中空状の案内壁部２３，２４を備え、この案内壁部２３，２４間に上下に連続して上案内溝２５と下案内溝２６とが形成されている。下案内溝２６は扉本体１０の奇数番目のヒンジ手段１５の係合突起２７を案内し、また上案内溝２５は扉本体１０の下端部側を案内するためのものであり、下ガイドレール７の内外方向の中央に設けられている。なお、上案内溝２５は下案内溝２６よりも内外両側に幅が広くなっている。
【００１８】
上下の各ガイドレール６，７には、各扉本体１０の折り畳み側である外側で且つ左右方向の吊り元側に切り欠き部２８，２９（図１参照）が形成され、この切り欠き部２８，２９を経て偶数番目のヒンジ手段１５とその両側の扉体１１との上下両端部が折り畳み側に係脱するようになっている。
【００１９】
切り欠き部２８，２９は、折り畳み側において偶数番目のヒンジ手段１５と、その両側の扉体１１とがガイドレール６，７に対して係脱するためのもので、少なくとも扉本体１０の吊り元側端のヒンジ手段１５から、戸当たり端側の２枚の扉体１１が伸長状態で他の扉体１１が折り畳み状態のときの戸当たり側端のヒンジ手段１５に対応する範囲に設けられている。なお、各扉体１１を内側に折り畳む場合には、切り欠き部２８，２９は上下のガイドレール６，７の内側に設ければ良い。
【００２０】
上ガイドレール６は、外側のレールカバー１９に戸当たり端側から切り欠き部２８までの長さのものを使用し、図５に示すようにこの外側のレールカバー１９のない部分が切り欠き部２８となっている。
【００２１】
また下ガイドレール７は、図４、図６及び図７に示すように、内外両側に高い案内壁部２３，２４を有する第１レール部材３０と、内側の高い案内壁部２３と外側の低い案内壁部２４を有する第２レール部材３１とを左右方向に接続して構成され、その第２レール部材３１が下ガイドレール７の切り欠き部２９に対応している。
【００２２】
第１レール部材３０と第２レール部材３１は、両者の案内壁部２３，２４に跨がって連結部材３３を嵌め込み、この連結部材３３と各レール部材１７とをその裏側からネジ３４で固定して連結されている。第１レール部材３０の切り欠き部２９に対応する案内壁部２４には、その開口端側にキャップ３５が装着されている。なお、第１レール部材３０、第２レール部材３１は、内外の案内壁部２３，２４間でネジ３６等によりデッキ１に固定されている。上ガイドレール７は一体に構成しても良い。
【００２３】
下ガイドレール７には、切り欠き部２９の戸当たり側に案内ローラ３７が設けられ、上ガイドレール６には、切り欠き部２８，２９の戸当たり側に蹴り込み部材３８が設けられている。
【００２４】
各扉体１１は図１、図３及び図４に示すように、上下両側に配置された上框３９及び下框４０と、上下の中間に配置された中框４１と、左右両側に配置された縦框４２と、これらの内部に嵌め込まれた透明なガラス板、その他の扉面体４３とにより構成されている。
【００２５】
各扉体１１の内外方向及び上下方向の寸法は、その上框３９が上ガイドレール６のレールカバー１８，１９間の案内溝２２に、下框４０が下ガイドレール７の上案内溝２５に夫々相対移動自在に嵌合し、扉本体１０の開閉時（伸縮時）に切り欠き部２８，２９側で各ガイドレール６，７に対して折り畳み側から内外方向に出退自在である。
【００２６】
各ヒンジ手段１５は、各扉体１１を折り畳み自在に連結するものである。そして、吊り元側端及び戸当たり側端のヒンジ手段１５は、図３に示すように縦長状のヒンジ枠４４と、このヒンジ枠４４の一端部に設けられ且つその一側の扉体１１を縦方向のヒンジ中心廻りに折り畳み自在に枢着する縦長状の１個のヒンジ部４５とを備えている。
【００２７】
吊り元側端のヒンジ手段１５のヒンジ枠４４は吊り元側端枠１３に一体に設けられ、その吊り元側端枠１３が支柱２側の吊り元枠８にネジ等の固定手段１６で着脱自在に連結されている。戸当たり側端のヒンジ手段１５のヒンジ枠４４は、戸当たり側端枠１４に一体に設けられ、その戸当たり側端枠１４は扉本体１０が最大状態まで伸長したときに支柱２側の戸当たり枠９に嵌合するようになっている。
【００２８】
中間の奇数番目及び偶数番目の各ヒンジ手段１５は、縦長状のヒンジ枠４４と、このヒンジ枠４４の両端部に設けられ且つその両側の扉体１１を縦方向のヒンジ中心廻りに折り畳み自在に枢着する縦長状の２個のヒンジ部４５とを備えている。
【００２９】
各ヒンジ手段１５は扉体１１の上下方向の寸法と略同一であり、偶数番目のヒンジ手段１５は、その両側の扉体１１と共に切り欠き部２８，２９側で各ガイドレール６，７に対して折り畳み側から内外方向に出退自在である。
【００３０】
各ヒンジ手段１５のヒンジ部４５は、ヒンジ枠４４に上下方向の略全長に形成された嵌合凹部４６と、扉体１１の縦框４２に上下方向の略全長に形成され且つ嵌合凹部４６にヒンジ中心廻りに回動自在に嵌合する嵌合凸部４７とにより構成され、ヒンジ枠４４と扉体１１とが開閉方向に略一直線になる伸長状態（図２の実線状態）と、ヒンジ枠４４と扉体１１とが略直角方向に屈折する折り畳み状態（図２の仮想線状態）との間で嵌合凹部４６と嵌合凸部４７とが相対的に回動するようになっている。
【００３１】
各ヒンジ手段１５のヒンジ部４５のヒンジ中心は、扉本体１０に収縮方向の外力が加わったときに、各扉体１１が折り畳み方向に回動するように、扉本体１０の内外方向の中心を通る中心線Ｘに対して内外両側に交互に偏心して配置されている。
【００３２】
即ち、各扉体１１を外側に折り畳む場合には、奇数番目のヒンジ手段１５ではヒンジ枠４４に対して扉体１１が外側に、偶数番目のヒンジ手段１５ではヒンジ枠４４に対して扉体１１が内側に夫々折れるように、奇数番目のヒンジ手段１５のヒンジ中心が中心線Ｘよりも内側に、偶数番目のヒンジ手段１５のヒンジ中心が中心線Ｘよりも外側に夫々偏心して配置されている。
【００３３】
なお、この実施形態では、奇数番目のヒンジ手段１５と偶数番目のヒンジ手段１５は、ヒンジ部４５のヒンジ中心が扉本体１０の中心線Ｘに対して内外逆方向に同一寸法Ｌ偏心するように配置しているが、偶数番目のヒンジ手段１５が内外方向の折り畳み側となるように、奇数番目のヒンジ手段１５と偶数番目のヒンジ手段１５とのヒンジ中心が内外方向に偏心しておれば十分である。
【００３４】
ヒンジ手段１５のヒンジ枠４４と扉体１１の縦框４２との間には、図９に示すように、ヒンジ枠４４と扉体１１とを伸長状態（図２の実線状態）に規制する第１規制手段４８と、ヒンジ枠４４と扉体１１とを折り畳み状態（図２の仮想線状態）に規制する第２規制手段４９とが設けられている。
【００３５】
第１規制手段４８は、ヒンジ枠４４側に設けられた係止部５０と、縦框４２側に設けられ且つ伸長状態のときにヒンジ枠４４側から係止部５０に係合する係合部５１とを備えている。第２規制手段４９は、嵌合凹部４６側に形成された係止部５２と、嵌合凸部４７側に形成され且つ折り畳み状態のときに係止部５２に係合する係合部５３とを備え、ヒンジ部４５の内部側に設けられている。
【００３６】
ヒンジ枠４４は中空状であって、嵌合凹部４６と平行に設けられた上下方向の補強凸部５４と、この補強凸部５４と嵌合凹部４６との間に形成され且つ折り畳み状態のときに係合部５１が嵌合する凹部５５とを有する。なお、中間の奇数番目のヒンジ手段１５と偶数番目のヒンジ手段１５とは略同一の構造であって、内外逆に設けられている。
【００３７】
走行手段２０は、上ガイドレール６に沿って扉本体１０を開閉方向に移動可能に吊持するためのもので、吊り元側端を除く奇数番目のヒンジ手段１５の上端に設けられている。この各走行手段２０は図４及び図５に示すように、ヒンジ枠４４の上端に固定され且つ転動部２１間を介してレール部材１７内に配置された走行体５６と、この走行体５６の左右両側に所定の間隔をおいて内外方向に挿通された車軸５７と、走行体５６の内外両側で各車軸５７により回転自在に支持され且つ転動部２１上を転動自在な車輪５８とを備えている。
【００３８】
係合突起２７は、吊り元側端を除く奇数番目のヒンジ手段１５を下ガイドレール７に沿って案内するためのもので、ヒンジ枠４４の下端に固定された支軸５８と、この支軸５８に回転自在に套嵌されたローラ５９とにより構成され、下ガイドレール７の下案内溝２６内に開閉方向に移動自在に嵌合している。
【００３９】
偶数番目のヒンジ手段１５の内、扉本体１０が伸長状態のときに切り欠き部２８，２９に対応するヒンジ手段１５を除く偶数番目のヒンジ手段１５のヒンジ枠４４と、奇数番目の戸当たり側端のヒンジ手段１５には、折り畳み側である外側の上下両端部に偏平な案内体６０，６１が装着されている。
【００４０】
案内体６０，６１は上下に厚肉部６２と薄肉部６３とを一体に備え、上側の案内体６０はその厚肉部６２が下側となり、下側の案内体６１はその薄肉部６３が下側となるように上下逆向きに装着されている。案内体６０，６１は左右両側に傾斜案内面を有し、ネジ等でヒンジ枠４４に固定されている。
【００４１】
なお、各案内体６０，６１は、上側の案内体６０の突出量が下側の案内体６１の突出量よりも大であれば良く、夫々に専用のものを使用しても良い。また奇数番目の戸当たり側端のヒンジ手段１５の上下の案内体６０，６１は省略しても良い。下側の案内体６１は省略ても良い。
【００４２】
案内ローラ３７は図１０に示すように、扉本体１０を折り畳んで収縮させる際に各扉体１１を吊り元側から順次２枚づつ折り畳み、扉本体１０を伸長させる際に各扉体１１を戸当たり側から順次２枚づつ伸展させるように、切り欠き部２８，２９側で屈伸する各扉体１１の下端部側を案内するためのものでる。
【００４３】
この案内ローラ３７は、図４、図６及び図７に示すように、下ガイドレール７の切り欠き部２９内において、その戸当たり側の端部に配置され、下ガイドレール７を構成する第２レール部材３１の案内壁部２４上に縦軸６５を介して左右方向に位置調整可能に設けられている。また案内ローラ３７は第２レール部材３１の前側の案内壁部２３と略同程度の高さであり、その上部側が扉体１１の下框４０の下端部及び案内体６１の薄肉部６３に対応するように、カラー６４を介して縦軸６５に回転自在に套嵌されている。
【００４４】
縦軸６５は当接板６６側から第２レール部材３１の長孔６７を貫通して、第２レール部材３１内の固定部材６８に上側から着脱自在に締結されている。固定部材６８は２個のネジ穴６９，７０を有し、第２レール部材３１の案内壁部２３，２４内に摺動自在に挿入されている。そして、縦軸６５はその一方のネジ穴６９に螺合され、また他方のネジ穴７０には当接板６６側から止めネジ７１が長孔６７を貫通して螺合されている。従って、案内ローラ３７は縦軸６５と止めネジ７１とを螺合すべきネジ穴６９，７０の選択と、固定部材６８の摺動とによって長孔６７の範囲で左右方向に位置調整可能である。
【００４５】
蹴り込み部材３８は図１１に示すように、扉本体１０を折り畳み状態から伸長させる場合に、扉本体１０のヒンジ手段１５が上ガイドレール６の切り欠き部２８側の端縁と接触しないように、案内ローラ３７により伸展方向に案内される扉体１１に連結されたヒンジ手段１５の上端部側を案内体６０を介して上ガイドレール６内に蹴り込むためのものである。
【００４６】
この蹴り込み部材３８は図４、図５及び図１１に示すように、平面視くの字状に屈曲する摺動案内部７２と取り付け部７３とを有し、摺動案内部７２が切り欠き部２８内において案内体６０の厚肉部６２と対応するように、その取り付け部７３がネジ等により外側のレールカバー１９に固定されている。
【００４７】
扉本体１０を伸長状態にした場合の切り欠き部２８，２９に対応するヒンジ手段１５、即ち吊り元側から２番目のヒンジ手段１５には、図８に示すように，扉本体１０の伸長状態でそのヒンジ枠４４を内側に引き寄せるための把手７４が上下方向の適当箇所に装着され、また扉本体１０の伸長状態でこのヒンジ手段１５を各ガイドレール６，７に対して内外方向に移動不能にロックするための上ロック手段７５と下ロック手段７６とが設けられている。
【００４８】
各ロック手段７５，７６は、ヒンジ枠４４の補強凸部５４内に上下動自在に設けられたロック杆７７と、把手７４の上下近傍でヒンジ枠４４の内外両側に設けられた操作つまみ７８と、ロック杆７７及び操作つまみ７８を連結する連結杆７９とを備え、操作つまみ７８を上下方向に操作することにより、ロック杆７７がガイドレール６，７に係合する係合位置（図８の仮想線位置）と、ガイドレール６，７から離脱する離脱位置（図８の実線位置）との間で上下動するようになっている。
【００４９】
ロック杆７７はヒンジ枠４４の先端の案内金具８０からガイドレール６，７側に出退自在であり、上ロック手段７５のロック杆７７は上ガイドレール６の転動部２１間に、下ロック手段７６のロック杆７７は下ガイドレール７の下案内溝２６に対して係脱自在である。
【００５０】
操作つまみ７８は、ヒンジ枠４４とこのヒンジ枠４４の内外両側の案内板８１との間に上下摺動自在に保持された摺動部材８２に設けられ、案内板８１の案内穴８３から外側に突出している。摺動部材８２は補強凸部５４内で連結杆７９に係合している。連結杆７９は筒体等からなり、補強凸部５４内に上下方向に摺動自在に配置された連結具８４を介してロック杆７７に連結されている。
【００５１】
各ロック手段７５，７６は、ロック杆７７を係合位置と離脱位置とに位置決めするための位置決め手段８５が設けられている。この位置決め手段８５は、補強凸部５４内に固定された位置決め板８６と、ロック杆７７に固定され且つ位置決め板８６に摺動自在に圧接する位置決めバネ８７とを備え、位置決め板８６には係合位置用の位置決め部８８と離脱位置用の位置決め部８９とが設けられ、その各位置決め部８８，８９に位置決めバネ８７が係脱するようになっている。
【００５２】
なお、各ロック手段７５，７６は、操作つまみ７８の位置の違いから連結杆７９の長さが異なる程度であって、略同一の構成になっている。位置決め板８６の位置決め部８８，８９は穴等により構成されている。把手７４は、ヒンジ枠４４の内外両側に設けても良い。
【００５３】
上記構成の折り畳み扉５において、建物の窓を閉鎖する場合には扉本体１０をガイドレール６，７に沿って最大状態まで伸長させて、戸当たり側端枠１４を戸当たり枠９に嵌合させる。
【００５４】
伸長状態で開閉しないように扉本体１０を施錠する場合には、把手７４を内側に引いて第２番目（吊り元側から第２番目であり、以下同様である。）のヒンジ手段１５のヒンジ枠４４を内側に引き寄せる。そして、上下の各ロック手段７５，７６の操作つまみ７８を上下方向に操作して、ロック杆７７をガイドレール６，７に係合させてロックする。
【００５５】
例えば、上ロック手段７５の場合には、操作つまみ７８を上側に操作すると、連結杆７９、連結具を介してロック杆７７が解除位置から係合位置へと上昇して、上ガイドレール６の内外の転動部２１間に係合する。ロック杆７７は位置決め手段８５により係合位置に保持される。
【００５６】
このようにして上下のロック手段７５，７６により２番目のヒンジ手段１５をガイドレール６，７にロックすると、第３番目のヒンジ手段１５が走行手段２０、係合突起２７を介してガイドレール６，７に係合し、また第３番目のヒンジ手段１５から戸当たり側の扉本体１０の上下両端がガイドレール６，７に嵌合しているので、扉本体１０を伸長状態で折り畳み不能に施錠できる。
【００５７】
扉本体１０を伸長状態から折り畳む場合には、上下のロック手段７５，７６による第２番目のヒンジ手段１５のロックを解除した後、扉本体１０の戸当たり側端枠１４を吊り元側へと押す。すると奇数番目のヒンジ手段１５のヒンジ部４５が中心線Ｘの内側にあり、偶数番目のヒンジ手段１５のヒンジ部４５が中心線Ｘの外側にあって、奇数番目と偶数番目とのヒンジ部４５が中心線Ｘの両側に偏心しているため、各扉体１１がヒンジ部４５廻りに折り畳み方向に回動しようとし、偶数番目のヒンジ手段１５がガイドレール６，７の切り欠き部２８，２９から外側へと離脱して、扉本体１０の各扉体１１を吊り元側から順次２枚づつガイドレール６，７の外側に折り畳むことができる。
【００５８】
この場合、図１２（Ｄ）に示すように先ず切り欠き部２９に対応する第２番目のヒンジ手段１５−２がガイドレール６，７から外側へと移動し、第１番目の扉体１１−１と第２番目の扉体１１−２とが各ヒンジ手段１５−１，１５−２のヒンジ部４５廻りに折り畳み方向へと夫々回動する。しかし、このときには第４番目のヒンジ手段１５−４側が案内ローラ３７により規制されているため、第３番目の扉体１１−３と第４番目の扉体１１−４は略真っ直ぐな状態である。
【００５９】
その後、更に吊り元側へと移動して、図１２（Ｃ）に示すように第４番目のヒンジ手段１５−４が案内ローラ３７に近づくに連れて、第４番目の扉体１１−４が案内ローラ３７により案内されて、第３番目の扉体１１−３と第４番目の扉体１１−４とが徐々に折り畳まれて行く。そして、第３番目の扉体１１−３と第４番目の扉体１１−４との折り畳みを伴いながら、図１２（Ｂ）に示すように第１番目の扉体１１−１と第２番目の扉体１１−２とが略平行な状態まで折り畳まれる。同様にして後続の各扉体１１も順次折り畳まれて行く。
【００６０】
そして、図１２（Ａ）に示す状態を経て戸当たり端側の最後のヒンジ手段１５−７が案内ローラ３７を通過すると、第５番目の扉体１１−５と第６番目の扉体１１−６とが完全に切り欠き部２８，２９に対応するため、図２に仮想線で示すように全ての扉体１１を吊り元側で略平行状態に折り畳むことができる。
【００６１】
扉本体１０を折り畳み状態から伸長させる場合には、戸当たり側端枠１４を戸当たり側へと引っ張ると、戸当たり側端のヒンジ手段１５−７から順次戸当たり側へと移動し、図１２（Ａ）〜（Ｄ）及び図１３（Ａ）（Ｂ）の状態を経て各扉体１１が伸展して行く。
【００６２】
即ち、戸当たり側端枠１４が戸当たり側へと移動すると、先ず第６番目の扉体１１−６と第５番目の扉体１１−５とが伸展する。そして、上下の走行手段２０と係合突起２７によってガイドレール６，７に案内された第７番目のヒンジ手段１５−７が案内ローラ３７を通過すると、図１２（Ａ）に示すように第６番目の扉体１１−６の下端側が案内ローラ３７に接触して、この案内ローラ３７により案内されるので、その移動に伴って第６番目の扉体１１−６が第７番目のヒンジ手段１５−７のヒンジ部４５廻りにガイドレール６，７側へと回動し、徐々にガイドレール６，７と平行になって行く。
【００６３】
そして、第６番目のヒンジ手段１５−６が図１０（Ａ）の状態から案内ローラ３７側へと移動すると、案内体６１を介して案内ローラ３７が図１０（Ｂ）〜（Ｄ）の各状態を経て第６番目のヒンジ手段１５−６の下端側を切り欠き部２９から下ガイドレール７内へと案内する。このため第６番目の扉体１１−６、第６番目のヒンジ手段１５−６及び第５番目の扉体１１−５の下端側は、伸展しながら切り欠き部２９から下ガイドレール７内へと進入して行く。
【００６４】
このようにして案内ローラ３７により第６番目の扉体１１−６の下端側を案内すれば、第６番目の扉体１１−６と第５番目の扉体１１−５との下端側は伸展するが、第６番目の扉体１１−６と第５番目の扉体１１−５はヒンジ手段１５−６で連結されているため、その上端側は下端側の伸展に遅れて伸展する。
【００６５】
例えば、第６番目のヒンジ手段１５−６が案内ローラ３８を通過する際に、案内体６１を介して案内ローラ３８が第６番目のヒンジ手段１５−６を下ガイドレール７内へと案内し、それに伴って第６番目の扉体１１−６と第５番目の扉体１１−５とが図１３（Ａ）示すように伸展して、第６番目のヒンジ手段１５−６の上端側は上ガイドレール６内に進入しようとする。このとき第６番目の扉体１１−６と第５番目の扉体１１−５との上端側は、その下端側に比較して大きく屈曲した状態にある。
【００６６】
しかし、この状態から更に戸当たり側へと移動すると、図１３（Ｂ）に示すように蹴り込み部材３８が第６番目のヒンジ手段１５−６の上端側の案内体６０に接触し、その摺動案内部７２で案内体６０を介して第６番目のヒンジ手段１５−６の上端側を上ガイドレール６内へと蹴り込む。この場合、蹴り込み部材３８は、図１１（Ａ）〜（Ｃ）の各状態を経て第６番目のヒンジ手段１５−６の上端側を案内する。
【００６７】
従って、第６番目の扉体１１−６と第５番目の扉体１１−５との伸展が下端部側より遅れても、外側のレールカバー１９の端縁等に接触することなく第６番目のヒンジ手段１５−６を切り欠き部２８から上ガイドレール６内へと進入させることができる。
【００６８】
このように偶数番目のヒンジ手段１５のヒンジ部４５を扉体１１の折り畳み側にして、奇数番目のヒンジ手段１５のヒンジ部４５と偶数番目のヒンジ手段１５のヒンジ部４５とを内外方向に偏心させると共に、上下のガイドレール６，７の吊り元側に、偶数番目のヒンジ手段１５が出退する切り欠き部２８，２９を設け、下ガイドレール７の切り欠き部２９の戸当たり側に案内ローラ３７を、上ガイドレール６の切り欠き部２８の戸当たり側に蹴り込み部材３８を夫々設けることによって、従来に比較して簡単な構成であるにも拘わらず、扉本体１０を折り畳んで収縮させる際に各扉体１１を吊り元側から順次円滑に折り畳み、また扉本体１０を伸長させる際に各扉体１１を戸当たり側から順次円滑に伸展させることができる。
【００６９】
図１４〜図１７は本発明の第２の実施形態を例示する。この実施形態では、ヒンジ手段１５に扉体１１から分離可能な分離式ヒンジ手段１５Ａと、第１の実施形態と同様の分離不能な非分離式ヒンジ手段１５Ｂとを用いて、予め複数種類のユニットを設けておき、その複数種類のユニットを適宜組み合わせることによって、扉体１１の枚数の異なる扉本体１０を容易に構成でき、しかも上下のガイドレール６，７に対する扉本体１０の装着も容易に行えるようにしている。
【００７０】
分離式ヒンジ手段１５Ａは、図１４に示すようにヒンジ部４５をヒンジ枠４４側の嵌合凹部４６と、縦框４２側の嵌合凸部４７とに分離し、その嵌合凸部４７を備えた取り付け部９０を扉体１１の取り付け凹部９１に挿入してネジ９２等により着脱自在に取り付けるようになっている。分離式ヒンジ手段１５Ａは、嵌合凹部４６を縦框４２側に、嵌合凸部４７をヒンジ枠４４側に夫々設けたものでも良い。
【００７１】
扉本体１０を構成するユニットには、図１５に示すように吊り元側ユニット１０１と戸当たり側ユニット１０２と２枚ユニット１０３と４枚ユニット１０４とがある。
【００７２】
吊り元側ユニット１０１は、図１５（Ａ）に示すように吊り元側端枠１３と非分離式ヒンジ手段１５Ｂと１枚の扉体１１とを備え、その扉体１１には非分離式ヒンジ手段１５Ｂと反対側の縦框４２に取り付け凹部９１が設けられている。
【００７３】
戸当たり側ユニット１０２は、図１５（Ｂ）に示すように戸当たり側端枠１４と非分離式ヒンジ手段１５Ｂと１枚の扉体１１とを備え、その扉体１１にも非分離式ヒンジ手段１５Ｂと反対側の縦框４２に取り付け凹部９１が設けられている。
【００７４】
２枚ユニット１０３は、図１５（Ｃ）に示すように非分離式ヒンジ手段１５Ｂと、この非分離式ヒンジ手段１５Ｂの両側に枢着された２枚の扉体１１とを備え、各扉体１１の非分離式ヒンジ手段１５Ｂと反対側の縦框４２に取り付け凹部９１が設けられている。
【００７５】
４枚ユニット１０４は、図１５（Ｄ）に示すように３個の非分離式ヒンジ手段１５Ｂと、この各非分離式ヒンジ手段１５Ｂを介してジグザグ状に枢着された４枚の扉体１１とを備え、その両端の扉体１１には非分離式ヒンジ手段１５Ｂと反対側の縦框４２に取り付け凹部９１が設けられている。
【００７６】
扉体１１が２枚以上の偶数枚の扉本体１０を製作する場合には、吊り元側ユニット１０１と戸当たり側ユニット１０２とに、分離式ヒンジ手段１５Ａ、適数個の２枚ユニット１０３及び／又は４枚ユニット１０４を組み合わせる。
【００７７】
例えば扉体１１が６枚の扉本体１０の場合には、図１６に示すように吊り元側ユニット１０１と戸当たり側ユニット１０２と４枚ユニット１０４と２個の分離式ヒンジ手段１５Ａとを用い、その吊り元側ユニット１０１の戸当たり側ユニット１０２との間に４枚ユニット１０４を配置して、吊り元側ユニット１０１の扉体１１と４枚ユニット１０４の一端側の扉体１１とを分離式ヒンジ手段１５Ａにより連結し、４枚ユニット１０４の他端側の扉体１１と戸当たり側ユニット１０２の扉体１１とを分離式ヒンジ手段１５Ａにより連結する。
【００７８】
扉体１１が８枚の扉本体１０の場合には、図１７に示すように吊り元側ユニット１０１と戸当たり側ユニット１０２と２枚ユニット１０３と４枚ユニット１０４と３個の分離式ヒンジ手段１５Ａとを用い、その吊り元側ユニット１０１の戸当たり側ユニット１０２との間に２枚ユニット１０３と４枚ユニット１０４とを配置して、吊り元側ユニット１０１の扉体１１と２枚ユニット１０３の一端側の扉体１１とを分離式ヒンジ手段１５Ａにより連結し、２枚ユニット１０３の他端側の扉体１１と４枚ユニット１０４の一端側の扉体１１とを分離式ヒンジ手段１５Ａにより連結し、４枚ユニット１０４の他端側の扉体１１と戸当たり側ユニット１０２の一端側の扉体１１とを分離式ヒンジ手段１５Ａにより連結する。
【００７９】
このように折り畳み扉５の扉本体１０は、その扉体１１の数が２枚以上の偶数枚であるため、吊り元側ユニット１０１と戸当たり側とを分離式ヒンジ手段１５Ａを介して直接連結するか、又は吊り元側ユニット１０１と戸当たり側との間に適数個の２枚ユニット１０３及び／又は４枚ユニット１０４を配置し、これらを分離式ヒンジ手段１５Ａを用いてジグザグ状に連接することにより、扉体１１の数の異なる各種の扉本体１０を容易に構成できる。
【００８０】
また吊り元側ユニット１０１と戸当たり側と２枚ユニット１０３と４枚ユニット１０４とに分けることにより、各ユニット１０１〜１０４には必ず非分離式ヒンジ手段１５Ｂがあり、その非分離式ヒンジ手段１５Ｂの上下に走行手段２０、係合突起２７があるため、複数個のユニット１０１〜１０４に分離式ヒンジ手段１５Ａを組み合わせて１個の扉本体１０を構成する場合にも、その非分離式ヒンジ手段１５Ｂの上下を各ガイドレール６，７に装着することができる。
【００８１】
従って、各ユニット１０１〜１０４を各ガイドレール６，７間に装着してから、その各ユニット１０１〜１０４を分離式ヒンジ手段１５Ａにより連結することが可能である等、扉本体１０の各ガイドレール６，７に対する装着を容易に行うことができ、施工現場における組み立て作業等を容易且つ能率的に行うことができる。
【００８２】
以上、本発明の各実施形態について詳述したが、本発明は各実施形態に限定されるものではなく、その他種々の態様で実施することができる。例えば実施形態では、上ガイドレール６の切り欠き部２８の戸当たり端側に、ヒンジ手段１５の上端側を上ガイドレール６内に蹴り込む蹴り込み部材３８を設け、下ガイドレール７の切り欠き部２９の戸当たり側に、その切り欠き部２９で屈伸する扉体１１を案内する案内ローラ３７を夫々配置しているが、上ガイドレール６の切り欠き部２８側に案内ローラ３７を、下ガイドレール７の切り欠き部２９側に蹴り込み部材３８を夫々設けても良い。また蹴り込み部材３８は案内ローラ３７と同様にローラにより構成しても良い。
【００８３】
各ガイドレール６，７の切り欠き部２８，２９以外の部分では、扉本体１０を構成する扉体１１及び偶数番目のヒンジ手段１５の上下両端が各ガイドレール６，７の案内溝２２，２５に嵌合しているが、少なくとも偶数番目のヒンジ手段１５の上下両端が各ガイドレール６，７の案内溝２２，２５に嵌合するようになっておれば十分であり、必ずしも扉本体１０の伸長状態において、各扉体１１の上下両端をガイドレール６，７に嵌合させる必要はない。
【００８４】
第１の実施形態に例示のように切り欠き部２８，２９以外でガイドレール６，７に対応する扉本体１０の上下両端をガイドレール６，７の案内溝２２，２５に嵌合させる構造の場合には、各ガイドレール６，７の切り欠き部２８，２９は、戸当たり側の２枚の扉体１１を除く扉体１１を吊り元側で折り畳み、戸当たり側の２枚の扉体１１が伸長した状態において、その戸当たり端側のヒンジ手段１５に対応する位置から、吊り元側の扉体１１を折り畳み可能な位置までの範囲に形成しておれば十分である。しかし、その状態での戸当たり端側のヒンジ手段１５に対応する位置よりも戸当たり側に伸びるように、各ガイドレール６，７に切り欠き部２８，２９を設けても良い。
【００８５】
また偶数番目のヒンジ手段１５の上下両端側がガイドレール６，７の案内溝２２，２５に嵌合し、扉体１１の上下両端側がガイドレール６，７に嵌合しない構造の場合には、吊り元端側で偶数番目のヒンジ手段１５がガイドレール６，７に対して係脱できる範囲に切り欠き部２８，２９を設けておれば十分であり、この場合には吊り元側からの切り欠き部２８，２９の長さは短くなる。従って、切り欠き部２８，２９は少なくとも扉本体１０の各扉体１１を吊り元側から順次折り畳み、また戸当たり側から順次伸展できる範囲にあれば十分である。
【００８６】
実施形態では扉本体１０の伸長状態において、第２番目のヒンジ手段１５と、このヒンジ手段１５の両側の扉体１１との一組が切り欠き部２８，２９に対応するようになっているため、第２番目のヒンジ手段１５に、これを各ガイドレール６，７にロックするロック手段７５，７６を設けているが、扉体１１の枚数が多くなって偶数番目のヒンジ手段１５とその両側の扉体１１との複数組が切り欠き部２８，２９に対応する場合には、その各組のヒンジ手段１５にロック手段７５，７６を設ける必要がある。
【００８７】
上下のロック手段７５，７６は実施形態では操作つまみ７８により個別に係脱操作するように構成しているが、一個の操作つまみ７８の操作により上下のロック棒が逆方向に出退するように構成しても良い。また扉本体１０を伸長状態で内部側から施錠する必要がある場合には、ロック棒を係合状態で上下動不能に拘束する施錠手段を扉本体１０の内側に設けても良い。
【００８８】
扉本体１０の吊り元側端枠１３は吊り元枠８に固定する他、その吊り元端側のヒンジ手段１５の上下に走行手段２０、係合突起２７等を設けて、戸当たり側端枠１４と同様にガイドレール６，７に沿って移動可能に構成しても良い。また実施形態の戸当たり側でも扉本体１０を折り畳み可能に構成する場合には、吊り元側と同様に戸当たり側にも切り欠き部２８，２９、案内ローラ３７、蹴り込み部材３８等を設けておれば良い。
【００８９】
ヒンジ手段１５、扉体１１、ガイドレール６，７等の構造は、実施形態に例示するもの以外でも良い。また吊り元枠８、戸当たり枠９は実施形態のように支柱２の側面に装着しても良いし、吊り元枠８及び／又は戸当たり枠９と支柱２との間にガラス板、その他の部材を設けても良い。扉本体１０は部屋の間仕切り、出入り口の扉、その他に利用することも可能である。
【００９０】
【発明の効果】
本発明では、複数個の扉体１１が複数個のヒンジ手段１５によりジグザグ状に折り畳み自在に連結された扉本体１０と、該扉本体１０を各ヒンジ手段１５を介して開閉方向に案内する上ガイドレール６及び下ガイドレール７とを備え、各ガイドレール６，７の吊り元側の内外方向の一側に、偶数番目のヒンジ手段１５が該各ガイドレール６，７に係脱する切り欠き部２８，２９を設け、扉本体１０を折り畳む際に偶数番目のヒンジ手段１５を切り欠き部２８，２９で各ガイドレール６，７から離脱させて各扉体１１を吊り元側から折り畳み、扉本体１０を伸長させる際に各扉体１１を戸当たり側から伸展させて偶数番目のヒンジ手段１５を切り欠き部２８，２９で各ガイドレール６，７に係合させるようにした折り畳み扉において、偶数番目のヒンジ手段１５のヒンジ中心を、奇数番目のヒンジ手段１５のヒンジ中心よりも内外方向の切り欠き部２８，２９側に偏心して配置し、一方のガイドレール７の切り欠き部２９の戸当たり側に、該切り欠き部２９で屈伸する扉体１１の上下方向の一端側を一方のガイドレール７側に案内する案内ローラ３７を設け、他方のガイドレール６の案内ローラ３７よりも戸当たり側に、該案内ローラ３７により伸展方向に案内される扉体１１に連結されたヒンジ手段１５の上下方向の他端側を他方のガイドレール６側に蹴り込む蹴り込み部材３８を設けているので、扉本体１０の一端側を移動させることなく扉本体１０を容易且つ確実に開閉でき、しかも構造を簡素化できる利点がある。
【００９１】
また扉本体１０の吊り元側端枠１３を固定することにより、吊り元側端枠１３を吊り元枠８に連結する等、吊り元側の密閉性を容易に確保でき、また施錠対策等も容易に講じることができる。
【図面の簡単な説明】
【図１】本発明の第１の実施形態を示す建物の正面図である。
【図２】本発明の第１の実施形態を示す折り畳み扉の伸長状態の平面断面図である。
【図３】本発明の第１の実施形態を示す折り畳み扉の要部の平面断面図である。
【図４】（Ａ）は図１のＡ−Ａ線拡大断面図、（Ｂ）は図１のＢ−Ｂ線拡大断面図である。
【図５】本発明の第１の実施形態を示す折り畳み扉の要部の破断正面図である。
【図６】本発明の第１の実施形態を示す案内ロック部分の平面図である。
【図７】本発明の第１の実施形態を示す案内ロック部分の正面断面図である。
【図８】本発明の第１の実施形態を示すロック手段部分の縦断面図である。
【図９】（Ａ）は図８のＡ−Ａ線拡大断面図、（Ｂ）は図８のＢ−Ｂ線拡大断面図である。
【図１０】本発明の第１の実施形態を示す案内ローラの作用説明図である。
【図１１】本発明の第１の実施形態を示す蹴り込み部材の作用説明図である。
【図１２】本発明の第１の実施形態を示す扉本体の下部側の動作説明図である。
【図１３】本発明の第１の実施形態を示す扉本体の上部側の動作説明図である。
【図１４】本発明の第２の実施形態を示す分離式ヒンジ手段の断面図である。
【図１５】本発明の第２の実施形態を示す各ユニットの説明図である。
【図１６】本発明の第２の実施形態を示す６枚扉体式の扉本体説明図である。
【図１７】本発明の第２の実施形態を示す１０枚扉体式の扉本体説明図である。
【符合の説明】
６  上ガイドレール
７  下ガイドレール
１０  扉本体
１１  扉体
１３  吊り元側端枠
１５  ヒンジ手段
２８，２９  切り欠き部
３７  案内ローラ
３８  蹴り込み部材
【図１】
0003817653.tif 000002
【図２】
0003817653.tif 000003
【図３】
0003817653.tif 000004
【図４】
0003817653.tif 000005
【図５】
0003817653.tif 000006
【図６】
0003817653.tif 000007
【図７】
0003817653.tif 000008
【図８】
0003817653.tif 000009
【図９】
0003817653.tif 000010
【図１０】
0003817653.tif 000011
【図１１】
0003817653.tif 000012
【図１２】
0003817653.tif 000013
【図１３】
0003817653.tif 000014
【図１４】
0003817653.tif 000015
【図１５】
0003817653.tif 000016
【図１６】
0003817653.tif 000017
【図１７】
0003817653.tif 000018